(57)【要約】  計量インタフェース装置は、少なくとも１つの計量センサ通信インタフェースおよび少なくとも１つの第１の無線通信インタフェースを含むプリント回路基板（「ＰＣＢ」）を含む。計量インタフェース装置は、計量センサ通信インタフェースを介して計量感知装置と通信している。各計量感知装置は物理的資産に結合される。計量インタフェース装置は、計量センサ通信インタフェースを介して計量感知装置から計量データを受信する。計量データは、物理的資産と関連した物理的測定値データを表す。各計量インタフェース装置は、複数のモバイルコンピューティング装置に接続可用性を広告し、接続するモバイルコンピューティング装置から接続要求を受信し、かつ接続するモバイルコンピューティング装置とアクティブな接続を構築する。【選択図】図１Ａ
2016535885.tif 000002
【特許請求の範囲】
【請求項１】
各々が、少なくとも１つの計量センサ通信インタフェース（２１２〜２１７）と少なくとも１つの第１の無線通信インタフェース（２３０、２４０）とを備えるプリント回路基板（ＰＣＢ）を備える、複数の計量インタフェース装置（１７０）であって、各前記計量インタフェース装置（１７０）は、前記計量センサ通信インタフェース（２１２〜２１７）を介して計量感知装置（１６１、５４０、６４０）と通信しており、各計量感知装置（１６１、５４０、６４０）は、物理的資産（１４０、５３０、６３０）から計量データを検出するように構成され、各前記計量インタフェース装置（１７０）は、前記計量感知装置（１６１、５４０、６４０）から前記計量データを受信するように構成される、複数の計量インタフェース装置（１７０）と、
少なくとも１つが、メモリデバイス（４０６）と、前記メモリデバイス（４０６）に結合されるプロセッサ（４０４）と、前記メモリデバイス（４０６）におよび前記プロセッサ（４０４）に結合される第２の無線通信インタフェース（４１６）とを備える、複数のモバイルコンピューティング装置（１３２）であって、前記第２の無線通信インタフェース（４１６）は、前記第１の無線通信インタフェース（２３０、２４０）を介して前記計量インタフェース装置（１７０）と通信するように構成され、前記モバイルコンピューティング装置（１３２）は、
前記複数の計量インタフェース装置（１７０）の部分集合である利用可能な前記計量インタフェース装置（１７０）を求めて走査し、
前記利用可能な前記計量インタフェース装置（１７０）の少なくとも１つに接続要求を伝送し、
前記利用可能な前記計量インタフェース装置（１７０）の少なくとも１つとアクティブな接続を構築し、
前記接続した前記計量インタフェース装置（１７０）の少なくとも１つと通信するように構成される、複数のモバイルコンピューティング装置（１３２）と、を備えるコンピュータ実装システム（５００、６００）。
【請求項２】
前記計量インタフェース装置（１７０）が、
前記モバイルコンピューティング装置（１３２）に接続可用性を広告し、
接続するモバイルコンピューティング装置（１３２）から接続要求を受信し、
前記接続する前記モバイルコンピューティング装置（１３２）とアクティブな接続を確立し、
残りの前記モバイルコンピューティング装置（１３２）に接続可用性を広告することを停止するように構成される、請求項１記載のコンピュータ実装システム（５００、６００）。
【請求項３】
前記計量インタフェース装置（１７０）が、
前記接続した前記モバイルコンピューティング装置（１３２）への接続状態が変化したかどうかを判定し、
前記接続した前記モバイルコンピューティング装置（１３２）への前記接続を解放し、
前記モバイルコンピューティング装置（１３２）に接続可用性を広告することを再開するようにさらに構成される、請求項２記載のコンピュータ実装システム（５００、６００）。
【請求項４】
前記計量インタフェース装置（１７０）が、
前記接続した前記モバイルコンピューティング装置（１３２）への接続条件が変化したかどうかを判定し、
前記接続した前記モバイルコンピューティング装置（１３２）へのデータ接続をアクティブ接続から休眠接続であって、データ通信が停止されて、アクティブ接続でよりも消費エネルギーが低減される接続を実質的に表す休眠接続に変化させるようにさらに構成される、請求項２記載のコンピュータ実装システム（５００、６００）。
【請求項５】
前記複数のモバイルコンピューティング装置（１３２）が、
前記少なくとも１つの計量インタフェース装置（１７０）に計量データを要求することと、
前記少なくとも１つの計量インタフェース装置（１７０）を較正することと、
前記少なくとも１つの計量インタフェース装置（１７０）から計量データを受信することとの少なくとも１つを含むステップを行うことによって前記計量インタフェース装置（１７０）と通信するように構成される、請求項１記載のコンピュータ実装システム（５００、６００）。
【請求項６】
各前記計量インタフェース装置（１７０）が前記ＰＣＢに符号化されるファームウェアを有し、前記ファームウェアが、通信プロトコル、インタフェースプロトコル、暗号化、データフォーマットおよび電力管理の少なくとも１つを調整する、請求項１記載のコンピュータ実装システム（５００、６００）。
【請求項７】
各前記モバイルコンピューティング装置（１３２）が、
前記メモリデバイス（４０６）に、少なくとも１つの分析アプリケーションであって、異種モバイルコンピューティング装置（１３２）上で実行するようにプログラムされる分析アプリケーションを記憶し、
前記分析アプリケーションを用いて前記メモリデバイス（４０６）で計量データを分析するように構成される、請求項１記載のコンピュータ実装システム（５００、６００）。
【請求項８】
前記少なくとも１つの分析アプリケーションが、接続する前記計量インタフェース装置（１７０）に関連した一組のアプリケーションプログラミングインタフェース（ＡＰＩ）ライブラリに基づいて設計され、前記一組のＡＰＩライブラリにより、前記少なくとも１つの分析アプリケーションは異種モバイルコンピューティング装置（１３２）上で実質的に同様の特徴を提供可能になる、請求項７記載のコンピュータ実装システム（５００、６００）。
【請求項９】
各前記第１の無線通信インタフェース（２３０、２４０）および各前記第２の無線通信インタフェース（４１６）が、Ｂｌｕｅｔｏｏｔｈ  ｌｏｗ  ｅｎｅｒｇｙ（ＢＬＥ）および無線ローカルエリアネットワークプロトコルの少なくとも１つを含むプロトコルを用いて通信するように構成される、請求項１記載のコンピュータ実装システム（５００、６００）。
【請求項１０】
各前記ＰＣＢが、ユニバーサルシリアルバス（ＵＳＢ）、勧告基準２３２（ＲＳ２３２）、集積回路間（Ｉ２Ｃ）、シリアルペリフェラルインタフェースバス（ＳＰＩ）、アナログおよび一般Ｉ／Ｏインタフェースの少なくとも１つを含む標準インタフェースプロトコルを用いて、前記通信する前記計量感知装置（１６１、５４０、６４０）をインタフェースするように構成される少なくとも１つの計量センサ通信インタフェース（２１２〜２１７）を備える、請求項１記載のコンピュータ実装システム（５００、６００）。
【請求項１１】
各前記モバイルコンピューティング装置（１３２）が、複数の前記計量インタフェース装置（１７０）へのデータ接続を実質的に同時に確立するように構成される、請求項１記載のコンピュータ実装システム（５００、６００）。
【請求項１２】
前記複数のモバイルコンピューティング装置（１３２）が、タブレットコンピュータ、スマートフォンおよびファブレットの少なくとも１つを含むモバイルコンピューティング装置である、請求項１記載のコンピュータ実装システム（５００、６００）。
【請求項１３】
モバイルコンピューティング装置（１３２）であって、メモリデバイス（４０６）と、前記メモリデバイス（４０６）に結合されるプロセッサ（４０４）と、少なくとも１つの計量インタフェース装置（１７０）と通信することが可能な無線通信インタフェース（４１６）とを含むモバイルコンピューティング装置（１３２）によって行われるコンピュータベースの方法であって、
複数の計量インタフェース装置（１７０）の部分集合である利用可能な計量インタフェース装置（１７０）を求めて走査すること（７１０）と、
少なくとも１つの利用可能な計量インタフェース装置（１７０）とアクティブな接続を構築すること（７３０）と、
少なくとも１つの接続する計量インタフェース装置（１７０）と通信すること（７４０）と、を備える方法。
【請求項１４】
計量インタフェース装置（１７０）を求めて走査すること（７１０）が、計量データを伝送するように構成されるプリント回路基板（ＰＣＢ）を求めて走査することを含む、請求項１３記載のコンピュータベースの方法。
【請求項１５】
接続に関連した信号強度を求めることをさらに備える、請求項１３記載のコンピュータベースの方法。
【請求項１６】
前記少なくとも１つの接続した計量インタフェース装置（１７０）と前記モバイルコンピューティング装置（１３２）との間の接続状態が、
前記信号強度が信号強度閾値を下回ることと、
前記計量インタフェース装置（１７０）と前記モバイルコンピューティング装置（１３２）との間の通信頻度が通信間隔閾値を下回ることと、
前記計量インタフェース装置（１７０）と前記接続するモバイルコンピューティング装置（１３２）との間の経過接続期間が総接続時間限度を超えることと、
前記計量インタフェース装置（１７０）の残存電池寿命が電池寿命閾値を下回ることとの少なくとも１つによって変化したことを判定することと、
前記計量インタフェース装置（１７０）への接続を解放することとをさらに備える、請求項１３記載のコンピュータベースの方法。
【請求項１７】
前記少なくとも１つの接続する計量インタフェース装置（１７０）に計量データを要求することをさらに備える、請求項１３記載のコンピュータベースの方法。
【請求項１８】
前記少なくとも１つの計量インタフェース装置（１７０）から計量データを受信することをさらに備え、計量データが、物理的資産の物理的特性を測定することを通じて関連した計量感知装置（１６１、５４０、６４０）によって求められる測定値データを実質的に表す、請求項１３記載のコンピュータベースの方法。
【請求項１９】
前記計量インタフェース装置（１７０）と、
前記モバイルコンピューティング装置（１３２）との少なくとも１つ上で較正方法を用いて前記計量データを較正することをさらに備える、請求項１８記載のコンピュータベースの方法。
【請求項２０】
Ｂｌｕｅｔｏｏｔｈ  ｌｏｗ  ｅｎｅｒｇｙおよび８０２．１１の少なくとも１つを含むプロトコルを用いて前記少なくとも１つの計量インタフェース（１７０）と通信すること（７４０）をさらに備える、請求項１３記載のコンピュータベースの方法。
【請求項２１】
少なくとも１つの計量センサ通信インタフェース（２１２〜２１７）と、
少なくとも１つの第１の無線通信インタフェース（２３０、２４０）と、
を備えるプリント回路基板（ＰＣＢ）を備える計量インタフェース装置（１７０）であって、
前記計量インタフェース装置（１７０）は、前記計量センサ通信インタフェース（２１２〜２１７）を介して計量感知装置（１６１、５４０、６４０）と通信しており、各計量感知装置（１６１、５４０、６４０）は、物理的資産（１４０、５３０、６３０）に結合され、各前記計量インタフェース装置（１７０）は、前記計量感知装置（１６１、５４０、６４０）から計量データを受信するように構成され、前記計量インタフェース装置が、
前記計量感知装置（１６１、５４０、６４０）から前記計量センサ通信インタフェース（２１２〜２１７）を介して、前記物理的資産（１４０、５３０、６３０）と関連した物理的測定値データを実質的に表す計量データを受信し、
複数のモバイルコンピューティング装置（１３２）に接続可用性を広告し、
接続するモバイルコンピューティング装置（１３２）から接続要求を受信し、
前記接続するモバイルコンピューティング装置（１３２）とアクティブな接続を確立するように構成される計量インタフェース装置（１７０）。
【請求項２２】
前記計量インタフェース装置（１７０）が、
前記複数のモバイルコンピューティング装置（１３２）に接続可用性を広告し、
接続するモバイルコンピューティング装置（１３２）から接続要求を受信し、
前記接続するモバイルコンピューティング装置（１３２）とアクティブな接続を確立し、
前記残りのモバイルコンピューティング装置（１３２）に接続可用性を広告することを停止するように構成される、請求項２１記載の計量インタフェース装置（１７０）。
【請求項２３】
前記計量インタフェース装置（１７０）が、
前記接続したモバイルコンピューティング装置（１３２）への接続状態が変化したかどうかを判定し、
前記接続したモバイルコンピューティング装置（１３２）への前記接続を解放し、
前記モバイルコンピューティング装置（１３２）に接続可用性を広告することを再開するようにさらに構成される、請求項２２記載の計量インタフェース装置（１７０）。
【請求項２４】
前記計量インタフェース装置（１７０）が、
前記接続したモバイルコンピューティング装置（１３２）への接続状態が変化したかどうかを判定し、
前記接続したモバイルコンピューティング装置（１３２）への接続をアクティブ接続から休眠接続であって、データ通信が停止されて、アクティブ接続でよりも消費エネルギーが低減される接続を実質的に表す休眠接続に変化させるようにさらに構成される、請求項２２記載の計量インタフェース装置（１７０）。
【請求項２５】
前記計量インタフェース装置（１７０）が前記ＰＣＢに符号化されるファームウェアを有し、前記ファームウェアが、通信プロトコル、インタフェースプロトコル、暗号化、データフォーマットおよび電力管理の少なくとも１つを調整する、請求項２１記載の計量インタフェース装置（１７０）。
【請求項２６】
前記無線通信インタフェース（２３０、２４０）が、Ｂｌｕｅｔｏｏｔｈ  ｌｏｗ  ｅｎｅｒｇｙ（ＢＬＥ）および８０２．１１の少なくとも１つを含むプロトコルを用いて通信するように構成される、請求項２１記載の計量インタフェース装置（１７０）。
【請求項２７】
前記ＰＣＢが、ＵＳＢ、ＲＳ２３２、アナログ、Ｉ２Ｃ、ＳＰＩおよび一般Ｉ／Ｏインタフェースの少なくとも１つを含む標準インタフェースプロトコルを用いて、前記通信する計量感知装置（１６１、５４０、６４０）をインタフェースするように構成される少なくとも１つの計量センサ通信インタフェース（２１２〜２１７）を備える、請求項２１記載の計量インタフェース装置（１７０）。
【請求項２８】
前記ＰＣＢを実質的に収容するシャシをさらに備える、請求項２１記載の計量インタフェース装置（１７０）。
【請求項２９】
前記計量インタフェース装置（１７０）が前記計量感知装置（１６１、５４０、６４０）に結合されてシャシ内に収容される、請求項２１記載の計量インタフェース装置（１７０）。
【発明の詳細な説明】
【技術分野】
【０００１】
本開示の分野は概して、物理的資産および物理システムを監視する際に使用してよい資産監視用の汎用無線プラットフォームを構築するために使用する装置、コンピュータ実装システムおよびコンピュータ実装方法に関する。
【背景技術】
【０００２】
多くの公知の物理的資産および物理システムには資産監視が必要である。資産監視は、たとえば資産または資産構成要素に関する物理的測定値、資産の物理的位置または方位、および資産の存在または物理的可用性を含む資産データを特定することによって資産状況を判定することを伴ってよい。信頼できる資産データは計量検査を用いて取得され得る。本明細書で使用する場合、「計量検査」は、資産データ、特に物理的測定値を取得するために装置または工具を使用することを指す。資産データは、たとえば、限定することなく距離、体積、圧力および速度を含む物理的測定値を示してよい。代替的に、資産データは、物理的測定値を求めるためには分析または外挿が必要である資産特性を示してよい。たとえば、資産データは、資産に関して複数の地理座標を含む光学データでよい。光学データは有用な物理的測定値として直接識別可能でなくてよいが、しかし計算および外挿により物理的測定値が得られてよい。計量検査は計量検査装置を使用することを伴ってよい。計量検査装置は、たとえば計器、センサおよびノギスを含む、計量検査を促進することが可能な任意の装置を含んでよい。いくつかの公知の計量検査装置は、資産データをユーザディスプレイ（たとえば、液晶ディスプレイ）に表示し、かつ資産データをメモリデバイスに記憶することが可能なコンピューティング装置を含んでよい。計量検査装置に含まれるいくつかのコンピューティング装置は、追加的に資産データを他のコンピューティング装置に伝送することが可能であり得る。資産データを他のコンピューティング装置に伝送することが可能であるコンピューティング装置は、資産データを伝送するために各種の通信プロトコルを活用してよい。
【０００３】
多くの公知の物理システムおよび物理的資産は、多数の資産データ示度をとることを通して監視および検査される。そのような監視および検査は時間がかかることがある。追加的に、そのような物理システムを適切に監視および検査するには、現場検査員には直ちに利用可能でない計算能力が必要であることがある。
【先行技術文献】
【特許文献】
【０００４】
【特許文献１】米国特許第８３９５４９６号
【発明の概要】
【課題を解決するための手段】
【０００５】
一態様では、コンピュータ実装システムが提供される。システムは、複数の計量インタフェース装置を含む。計量インタフェース装置は、回路カードアセンブリ（ＣＣＡ）とも称されるプリント回路基板（ＰＣＢ）を含む。ＰＣＢは、少なくとも１つの計量センサ通信インタフェースおよび少なくとも１つの第１の無線通信インタフェースを含む。計量インタフェース装置は、計量センサ通信インタフェースを介して計量感知装置と通信している。計量感知装置は、物理的資産から計量データを検出するように構成される。計量インタフェース装置は、計量感知装置から計量データを受信するように構成される。システムはまた、複数のモバイルコンピューティング装置を含む。モバイルコンピューティング装置の少なくとも１つは、メモリデバイス、メモリデバイスに結合されるプロセッサ、ならびにメモリデバイスにおよびプロセッサに結合される第２の無線通信インタフェースを含む。第２の無線通信インタフェースは、第１の無線通信インタフェースを介して計量インタフェース装置と通信するように構成される。モバイルコンピューティング装置は、利用可能な計量インタフェース装置を求めて走査するように構成される。利用可能な計量インタフェース装置は、複数の計量インタフェース装置の部分集合である。モバイルコンピューティング装置は、少なくとも１つの利用可能な計量インタフェース装置に接続要求を伝送するようにさらに構成される。モバイルコンピューティング装置はまた、少なくとも１つの利用可能な計量インタフェース装置とのアクティブな接続を構築するように構成される。モバイルコンピューティング装置は、少なくとも１つの接続した計量インタフェース装置と通信するように追加的に構成される。
【０００６】
さらなる態様では、コンピュータベースの方法が提供される。コンピュータベースの方法は、モバイルコンピューティング装置によって行われる。モバイルコンピューティング装置は、メモリデバイス、メモリデバイスに結合されるプロセッサ、および、少なくとも１つの計量インタフェース装置と通信することが可能な無線通信インタフェースを含む。方法は、利用可能な計量インタフェース装置であって、複数の計量インタフェース装置の部分集合である利用可能な計量インタフェース装置を求めて走査することを含む。方法は、少なくとも１つの利用可能な計量インタフェース装置とのアクティブな接続を構築することをさらに含む。方法はまた、少なくとも１つの接続する計量インタフェース装置と通信することを含む。
【０００７】
別の態様では、計量インタフェース装置が提供される。計量インタフェース装置は、少なくとも１つの計量センサ通信インタフェースおよび少なくとも１つの第１の無線通信インタフェースを含むプリント回路基板（「ＰＣＢ」）を含む。計量インタフェース装置は、計量センサ通信インタフェースを介して計量感知装置と通信している。計量感知装置は、物理的資産に結合される。計量インタフェース装置は、計量感知装置から計量データを受信するように構成される。計量インタフェース装置は、計量センサ通信インタフェースを介して計量感知装置から計量データを受信するように構成される。計量データは実質的に、物理的資産と関連した物理的測定データを表す。計量インタフェース装置は、複数のモバイルコンピューティング装置に接続可用性を広告するようにさらに構成される。計量インタフェース装置はまた、接続するモバイルコンピューティング装置から接続要求を受信するように構成される。計量インタフェース装置は、接続するモバイルコンピューティング装置とのアクティブな接続を構築するように追加的に構成される。
【０００８】
これらのならびに他の特徴、態様および利点は、類似の文字が全図面を通して類似の部分を表す添付の図面を参照して以下の詳細な説明を読むことで、よりよく理解されるようになるだろう。
【図面の簡単な説明】
【０００９】
【図１Ａ】計量感知装置を用いずにかつさらに本開示に記載の汎用無線プラットフォームも用いずに現場検査員によって監視される物理的資産を含む環境の図である。
【図１Ｂ】計量感知装置を用いるがしかし本開示に記載の汎用無線プラットフォームは用いずに現場検査員によって監視される物理的資産を含む環境の図である。
【図１Ｃ】計量感知装置を用いてかつ汎用無線プラットフォームも用いて現場検査員によって監視される物理的資産を含む環境の図である。
【図２】図１Ｃに図示する例示環境の監視を促進するために汎用無線プラットフォームを構築する際に用いる例証的な計量インタフェース装置のブロック図である。
【図３Ａ】汎用無線プラットフォームを構築するために使用する図２に図示する計量インタフェース装置を含む例証的なフォブ装置の図である。
【図３Ｂ】汎用無線プラットフォームを構築するために使用する図２に図示する計量インタフェース装置を含む例示ハイブリッド装置の図である。
【図４】汎用無線プラットフォームを通じて図２に図示する計量インタフェース装置と対話することによって資産を監視する際に使用するコンピューティング装置のブロック図である。
【図５】汎用無線プラットフォーム、より具体的には図２に図示する計量インタフェース装置を用いて計量感知装置と対話する図４に図示するモバイルコンピューティング装置によって実装されるシステムの例証的なプロセスフローである。
【図６】効率的な資産データ収集、資産監視および資産検査を促進するために、汎用無線プラットフォーム、より具体的には図２に図示する計量インタフェース装置を用いて計量感知装置と対話する図４に図示するモバイルコンピューティング装置によって実装されるシステムの例証的なプロセスフローである。
【図７】汎用無線プラットフォームを用いて図２に図示する計量インタフェース装置と通信する図４に図示するモバイルコンピューティング装置によって行われる例証的な方法である。
【図８】汎用無線プラットフォームを用いて図２に図示する計量インタフェース装置および複数のクラウドベースの資源と通信する図４に図示するモバイルコンピューティング装置によって行われる例証的な方法である。
【図９】図５および６に図示する環境において使用してよい１つまたは複数の例示コンピューティング装置の部品の図である。
【発明を実施するための形態】
【００１０】
別段の指示がない限り、本明細書に提供される図面は本開示の実施形態の特徴を例示するためのものである。これらの特徴は本開示の１つまたは複数の実施形態を備える多種多様なシステムにあてはまると考えられる。そのため、図面は、当業者によって本明細書に開示の実施形態を実施するために必要であると知られているすべての従来の特徴を含むためのものではない。
【００１１】
以下の明細書および特許請求の範囲において、多くの用語に言及することになるが、それらは以下の意味を有するように定義するものとする。
【００１２】
単数形「ある１つの」および「その」は、文脈による別段の明示がない限り、複数形の言及を含む。
【００１３】
「任意選択の」または「任意選択で」は、続いて記載される事象または状況が発生してもしなくてもよいこと、ならびにその記載が事象が発生する例およびそれが発生しない例を含むことを意味する。
【００１４】
本明細書で使用する場合、用語「非一時的コンピュータ可読媒体」は、コンピュータ可読命令、データ構造、プログラムモジュールおよびサブモジュール、または他のデータなどの情報を任意のデバイスに短期間および長期間記憶するための任意の方法または技術で実装される任意の有形のコンピュータベースのデバイスを表すものと意図される。したがって、本明細書に記載の方法は、ストレージデバイスおよび／またはメモリデバイスを限定することなく含む有形の非一時的コンピュータ可読媒体で具象化される実行可能命令としてコード化してよい。そのような命令は、プロセッサによって実行されると、プロセッサに本明細書に記載の方法の少なくとも一部を行わせる。その上、本明細書で使用する場合、用語「非一時的コンピュータ可読媒体」は、ファームウェア、物理および仮想ストレージ、ＣＤ−ＲＯＭ、ＤＶＤ、およびネットワークまたはインターネットなどの任意の他のデジタル源などの、揮発性および不揮発性媒体、および取り外し可能および非取り外し可能媒体を限定することなく含む非一時的コンピュータストレージデバイスを限定することなく含むすべての有形のコンピュータ可読媒体、ならびにこれから開発されるデジタル手段を含み、唯一の例外は一時的伝播信号である。
【００１５】
本明細書で使用する場合、用語「資産データ」および関連する用語は、少なくとも物理的資産の少なくとも１つの物理状態に関する任意のデータを指す。資産データは、距離の物理的測定値、体積の物理的測定値、圧力の物理的測定値、温度の物理的測定値、位置情報、電流の物理的測定値、および計量感知装置を用いて検出してよい任意の他の物理的測定値を限定することなく含んでよい。物理的測定値を含む資産データを「主資産データ」と称してよい。代替的に、資産データは、物理的測定値を求めるために使用してよい「副資産データ」を限定することなく含んでよい。たとえば、ボアスコープによって生成される光学データは、資産の物理的特性を求めるために処理できる一連の３次元座標として現れてよい。しかしながら、そのような光学データは、そのような処理が生じない限り、上記の意味の範囲内での「主資産データ」を表さなくてよい。本明細書で使用する場合、物理的測定値を生成するために使用するこの形態の副資産データは、別段の注記がない限り、物理的測定値を含む主資産データと交換可能に使用してよい。
【００１６】
本明細書で使用する場合、用語「計量感知装置」および関連する用語は、資産データを測定または別の方法で求めることが可能な工具、装置および他の機器を指す。計量感知装置は手動式または電子式でよいけれども、本明細書に記載のシステムおよび方法と併用される計量感知装置は、資産データをコンピューティング装置に伝送することが可能である。いくつかの例では、計量感知装置は、ディスプレイ、プロセッサおよびメモリデバイスを含んでよい。追加的に、計量感知装置は、アナログデータおよびデジタルデータを生成してよい。少なくともいくつかの例では、計量感知装置は、物理的測定値データ（または上述のように主資産データ）へと復号するためには計算を必要とする複合データを生成してよい。
【００１７】
本明細書で使用する場合、用語「ソフトウェア」および「ファームウェア」は交換可能であり、またモバイル装置、クラスタ、パーソナルコンピュータ、ワークステーション、クライアントおよびサーバを限定することなく含む装置によって実行するためにメモリに記憶される任意のコンピュータプログラムを含む。
【００１８】
本明細書で使用する場合、用語「コンピュータ」および関連する用語、たとえば「コンピューティング装置」は、当該技術分野においてコンピュータと称する集積回路に限定されるのではなく、広くマイクロコントローラ、マイクロコンピュータ、プログラマブルロジックコントローラ（ＰＬＣ）、特定用途向け集積回路および他のプログラマブル回路を指し、これらの用語は本明細書で交換可能に使用する。
【００１９】
本明細書で使用する場合、用語「クラウドコンピューティング」および関連する用語、たとえば「クラウドコンピューティング装置」は、複数の異種コンピューティング装置をデータ記憶、検索および処理のために使用することを可能にするコンピュータアーキテクチャを指す。異種コンピューティング装置は、すべてのコンピューティング装置ではなくいくつかのコンピューティング装置が共通のネットワークを介して互いにネットワーク通信するように、共通のネットワークまたは複数のネットワークを使用してよい。換言すれば、すべてのコンピューティング装置間の通信および協調を促進するために、複数のネットワークを使用してよい。
【００２０】
本明細書で使用する場合、用語「モバイルコンピューティング装置」は、スマートフォン、携帯情報端末（「ＰＤＡ」）、コンピュータタブレット、ハイブリッド電話／コンピュータタブレット（「ファブレット」）、または本明細書に記載のシステムにおいて機能することが可能な他の同様のモバイル装置を限定することなく含む、携帯して使用するコンピューティング装置のいずれかを指す。いくつかの例では、モバイルコンピューティング装置は、マイクロフォン、スピーカ、キーボード、タッチスクリーン、ジャイロスコープ、加速度計および計量デバイスを限定することなく含む、各種の周辺装置および付属品を含んでよい。また、本明細書で使用する場合、「携帯コンピューティング装置」および「モバイルコンピューティング装置」は交換可能に使用してよい。
【００２１】
近似を表す文言は、本明細書および特許請求の範囲を通じて本発明で使用する場合、それが関係する基本機能の変化という結果になることなく許容範囲で変化し得る任意の定量的表現を修飾するために適用してよい。したがって、「約」および「実質的に」などの１つまたは複数の用語によって修飾した値は、明記した値そのものに限定されるべきではない。少なくともいくつかの事例では、近似を表す文言は、その値を測定するための器具の精度に対応してよい。ここで、ならびに本明細書および特許請求の範囲を通じて、範囲限定を組み合わせるかつ／または交換してよく、そのような範囲が特定されると、文脈または文言による別段の指示がない限り、それに含まれるすべての部分範囲を含む。
【００２２】
本明細書に記載のコンピュータ実装システムおよび方法は、物理的資産および物理システムを監視する際に使用してよい資産監視用の汎用無線プラットフォームを構築することを促進する。システムおよび方法は、計量感知装置からモバイルコンピューティング装置を含むコンピューティング装置への標準インタフェースを提供することによって汎用無線プラットフォームを提供する。標準インタフェースは、各種の計量感知装置が資産データをコンピューティング装置に伝送可能にし、それによって資産データを効率的に処理することを促進する。具体的には、この通信を標準化することによって、汎用無線プラットフォームは、物理的資産を監視および検査するために必要である資源および投資を大幅に削減することを可能にする。追加的に、このプラットフォームは結果として、物理的資産の迅速な状態監視および検査を達成する。
【００２３】
本明細書に記載のコンピュータ実装システムおよび方法はさらに、資産データを収集、検討および処理する際の動的ワークフロー処理を促進する。汎用無線プラットフォームを用いて、システムおよび方法は、少なくとも１つの資産の物理状態のデータモデルを判定することに関連する資産データを捕捉するために応答的資産データ収集を促進する。システムおよび方法はまた、少なくとも１つの資産の物理状態の新たなデータモデルをクラウドベースで処理および判定することを促進する。新たなデータモデルおよび収集した資産データはさらに、物理的資産のさらなる診断、保守および修理を含む、潜在的な反応的ステップを判定するために、ローカルにおよびネットワークにわたって他のコンピューティング装置に伝送できる。
【００２４】
図１Ａは、計量感知装置（図１Ａには不図示）を用いずにかつしたがって本開示に記載の汎用無線プラットフォームも用いずに現場検査員１１１、１１２、１１３および１１４によって監視される物理的資産１４０を含む例示環境１００の図である。環境１００は、物理的資産１４０を監視および検査することの複雑さを図示する例示図である。例証的な実施形態において、環境１００は、工業化学物質を処理するために使用する物理的資産１４０を含む化学処理施設である。環境１００は化学処理施設で使用する４列の物理的資産１５１、１５２、１５３および１５４を含むけれども、本明細書に記載のシステムおよび方法は、工業環境、発電および配電環境、製造環境、バイオテクノロジー環境、商品販売環境、商品流通環境、輸送環境、居住環境ならびに農業環境を限定することなく含む、任意の数または各種の物理的資産１４０を含む任意の環境１００に適用してよい。
【００２５】
環境１００は、物理的資産１４０を監視する複数の現場検査員１１１、１１２、１１３および１１４を含む。現場検査員１１１、１１２、１１３および１１４は、物理的資産１４０から物理的測定値を測って資産データ（すなわち、主資産データ）を取得するために複数の測定装置１２１、１２２、１２３および１２４を使用する。より具体的には、現場検査員は特定の工具を使用している。たとえば、現場検査員１１１は、物理的資産列１５１における亀裂の幅を測定するためにノギス１２１を使用している。現場検査員１１２は、物理的資産列１５２における容器の圧力レベルを測定するために圧力計を使用している。現場検査員１１３は、物理的資産列１５３の容器内の流体のレベルを求めるために液面計１２３を使用している。現場検査員１１４は、物理的資産列１５４の容器の温度を測定するために温度計１２４を使用している。現場検査員は特定の種類の測定値を取得しているだけなので、彼らは各々すべての４つ物理的資産列１５１、１５２、１５３および１５４から測定値を測る必要がある。各現場検査員はより多くの測定装置を有し得るけれども、各資産測定値は手作業で測らなければならない。
【００２６】
現場検査員１１１、１１２、１１３および１１４はさらに資産データを記録する。現場検査員１１１および１１２は資産データを紙記録１３１へと手作業で記録するが、一方現場検査員１１３および１１４は資産データをモバイルコンピューティング装置１３２へと電子的に記録する。しかしながら、一旦すべての資産データが記録されると、資産データは次には、環境１００を適切に監視するために統合しなければならない。資産データは監視サーバ１８０上で統合される。各現場検査員１１１、１１２、１１３および１１４は、紙記録１３１またはモバイルコンピューティング装置１３２に記録した資産データを提供しなければならない。現場検査員１１１および１１２は資産データをレコードへと入力するために記録コンピューティング装置１８１を使用してよい。現場検査員１１３および１１４は、資産データを入力するために記録コンピューティング装置１８１を使用するか、または代替的に資産データを監視サーバ１８０に直接伝送するためにモバイルコンピューティング装置１３２を使用してよい。記録コンピューティング装置１８１は、資産データを監視サーバ１８０に伝送してよい。
【００２７】
図示するように、資産データを取得し、資産データを記録し、資産データを統合するプロセスは、現場検査員１１１、１１２、１１３および１１４にとって非常に時間がかかることがある。以下記載するように、計量感知装置を使用してかつさらに本明細書に記載の汎用無線プラットフォームを使用することで、物理的資産１４０を監視するプロセスは進捗できる。
【００２８】
図１Ｂは、計量感知装置１６１、１６３、１６４および１６５を用いるがしかし本開示に記載の汎用無線プラットフォームは用いずに現場検査員１１１、１１２、１１３および１１４によって監視される物理的資産１４０を含む例示環境１００Ａの図である。図１Ａでのように、環境１００Ａは、工業化学物質を処理するために使用する物理的資産１４０を含む化学処理施設である。環境１００Ａでは、現場検査員１１１、１１２、１１３および１１４は、資産データを記録するためにモバイルコンピューティング装置１３２を活用する。付加的に、図１Ａでとは異なり、物理的資産１４０は、物理的資産１４０の各資産に物理的に取り付けられる計量感知装置１６１、１６３、１６４および１６５の少なくとも１つを有する。
【００２９】
環境１００Ａでは、計量感知装置１６１、１６３、１６４および１６５は物理的資産１４０の１つの物理的資産に物理的に結合されるけれども、すべての計量感知装置１６１、１６３、１６４および１６５が物理的資産１４０に物理的に結合されなくてもよい。各計量感知装置１６１、１６３、１６４および１６５の少なくとも大きさ、可搬性、費用および払底に応じて、計量感知装置１６１、１６３、１６４および１６５は物理的資産１４０から取り外し可能および／または携帯可能でよい。
【００３０】
計量感知装置１６１、１６３、１６４および１６５は、少なくとも１種類の資産データを取得するように構成される。たとえば計量感知装置１６１は、ノギスと等価に測定値を測るように構成される感知装置である。計量感知装置１６３は、圧力測定値を測るように構成される。計量感知装置１６３は、ハウジング１６２内に物理的に収容される。計量感知装置１６４は、流体レベル測定値を測るように構成される。計量感知装置１６５は、温度示度を測るように構成される。代替的に、計量感知装置１６１、１６３、１６４および１６５は、上述のような任意の種類の資産データを取得してよい。より具体的には、ノギス測定値、圧力測定値、流体レベル測定値および温度示度は、各々が物理的測定値を含む資産データの形態であるため、主データとして記載されてよい。対照的に、計量感知装置１６１、１６３、１６４および１６５は、主データへと処理してよい副データを代替的に収集してよい。
【００３１】
いくつかの実施形態において、計量感知装置１６１、１６３、１６４および１６５は、各計量感知装置が資産データを少なくともいくつかのコンピューティング装置に伝送可能になる出力インタフェースを含む。計量感知装置１６１、１６３、１６４および１６５は、たとえばユニバーサルシリアルバス（「ＵＳＢ」）、勧告基準２３２（「ＲＳ２３２」）、シリアルペリフェラルインタフェースバス（「ＳＰＩ」）、集積回路間（「Ｉ２Ｃ」）、アナログおよび専用Ｉ／Ｏインタフェースを含むそれらのそれぞれの出力インタフェースを介して資産データを伝送するために各種の通信プロトコルを使用してよい。資産データを取得するためには特定の対話方法が必要である何十もの専用Ｉ／Ｏインタフェースが存在する。したがって、モバイルコンピューティング装置１３２および計量感知装置１６１、１６３、１６４および１６５が同じ通信プロトコルをサポートすれば、モバイルコンピューティング装置１３２は、計量感知装置１６１、１６３、１６４および１６５に対してデータを送受信してよい。したがって、モバイルコンピューティング装置１３２はこれらの通信規格の少なくともいくつかを用いてデータを受信することが可能でよいけれども、いくつかの規格は特定のモバイルコンピューティング装置１３２によってサポートされないことがある。例証的な実施形態において、計量感知装置１６１はＵＳＢ入出力インタフェースを使用し、計量感知装置１６３はＲＳ２３２入出力インタフェースを使用し、計量感知装置１６４は第１の専用入出力インタフェースを使用し、そして計量感知装置１６５は第２の入出力インタフェースを使用する。例証的な実施形態において、モバイルコンピューティング装置１３２はＵＳＢおよびＩ２Ｃをサポートする。したがって、現場検査員１１１、１１２、１１３および１１４は、計量感知装置１６１からデジタル出力を受信できるだけである。計量感知装置１６３、１６４および１６５からのすべての他の資産データは、モバイルコンピューティング装置１３２へと手入力する必要がある。
【００３２】
計量感知装置１６１、１６３、１６４および１６５により、現場検査員１１１、１１２、１１３および１１４は環境１００におけるよりも効率的に物理的資産１４０を監視および検査可能になるが、資産データを効率的に捕捉および処理することを妨げる制限が依然としてある。上述のように、計量感知装置１６１、１６３、１６４および１６５によって利用される各種の通信規格により、各現場検査員１１１、１１２、１１３および１１４は少なくともいくつかの計量感知装置１６１、１６３、１６４および１６５に関して資産データを手入力することを強いられる。追加的に、計量感知装置１６１、１６３、１６４および１６５がモバイルコンピューティング装置１３２によってサポートされる通信規格を使用する場合、各現場検査員は無線通信プロトコルをサポートしない任意の計量感知装置１６１、１６３、１６４および１６５に物理的に接続しなければならない。そのような接続には追加の機器（たとえば、ワイヤまたはケーブル）が必要であり、また追加の時間がかかることがある。また、現場検査員１１１、１１２、１１３および１１４は、図１Ａでのように取得した資産データを監視サーバ１８０で統合しなければならない。
【００３３】
図１Ｃは、計量感知装置１６１、１６３、１６４および１６５を用いてかつ汎用無線プラットフォームも用いて現場検査員１１１、１１２、１１３および１１４によって監視される物理的資産１４０を含む例示環境１００Ｂの図である。環境１００Ｂでは、各計量感知装置は、計量インタフェース装置１７０に結合される。例証的な実施形態において、計量インタフェース装置１７０は、ＵＳＢ、ＲＳ２３２、Ｉ２Ｃ、ＳＰＩ、アナログおよび専用Ｉ／Ｏプロトコルを含む複数の通信プロトコルを用いて資産データを受信することが可能なプリント回路基板（「ＰＣＢ」）を表す。
【００３４】
各計量感知装置への各それぞれの通信プロトコルを用いる通信にはインタフェースリンク１７２、１７３、１７４および１７５が必要である。インタフェースリンク１７２により、計量インタフェース装置１７０はＵＳＢプロトコルを用いて計量感知装置１６１と通信可能になる。インタフェースリンク１７３により、計量インタフェース装置１７０はＲＳ２３２プロトコルを用いて計量感知装置１６３と通信可能になる。インタフェースリンク１７４により、計量インタフェース装置１７０は第１の専用入出力プロトコルを用いて計量感知装置１６４と通信可能になる。インタフェースリンク１７５により、計量インタフェース装置１７０は第２の専用入出力プロトコルを用いて計量感知装置１６５と通信可能になる。
【００３５】
一例では、計量インタフェース装置１７０は、計量感知装置（たとえば、計量感知装置１６１）の外部に結合される。この例では、計量インタフェース装置１７０は、計量インタフェース装置を収容するためのシャシを含んでよい。シャシは、たとえば金属、プラスチック、金属合金、またはＰＣＢを収容しかつ計量インタフェース装置１７０と計量感知装置との間の対話を促進するのに適する任意の他の材料を含む、任意の材料で作製してよい。
【００３６】
第２の例では、計量インタフェース装置１７０は、計量インタフェース装置および計量感知装置両方を収容するシャシ（たとえば、計量感知装置１６３および計量インタフェース装置１７０を収容するハウジング１６２）内に収容される。
【００３７】
計量インタフェース装置１７０は、モバイルコンピューティング装置１３２と通信するようにさらに構成される。例証的な実施形態において、計量インタフェース装置１７０は、モバイルコンピューティング装置１３２と通信するためにＢｌｕｅｔｏｏｔｈ（登録商標）Ｌｏｗ  Ｅｎｅｒｇｙ（「ＢＬＥ」）プロトコルを使用する。ＢＬＥは、Ｂｌｕｅｔｏｏｔｈ  ＳＭＡＲＴ（登録商標）としても公知である。（ＢｌｕｅｔｏｏｔｈおよびＢｌｕｅｔｏｏｔｈ  ＳＭＡＲＴは、Ｂｌｕｅｔｏｏｔｈ  Ｓｐｅｃｉａｌ  Ｉｎｔｅｒｅｓｔ  Ｇｒｏｕｐ  ｏｆ  Ｋｉｒｋｌａｎｄ、Ｗａｓｈｉｎｇｔｏｎの登録商標である。）ＢＬＥは、それがＢｌｕｅｔｏｏｔｈと関連した通信距離を維持しつつも、消費電力が比較的に低いため、計量インタフェース装置１７０が汎用無線プラットフォームを生成する際に使用するのに有利なプロトコルである。現場検査員１１１、１１２、１１３および１１４によって監視される少なくともいくつかの環境１００Ｂの大きさを考慮すれば、通信距離が延びることにより、効率的な現場検査が可能になり得る。追加的に、ＢＬＥは、各種のモバイルコンピューティング装置１３２用の一般的にサポートされる無線プロトコルである。計量感知装置１６１、１６３、１６４および１６５が受信した資産データをモバイルコンピューティング装置１３２が受信可能にするために計量インタフェース装置１７０を使用することは、実質的に、汎用無線プラットフォームを構築することを表す。したがって、計量インタフェース装置１７０は、実質的に、物理的資産１４０を検査および監視することを促進するために汎用無線プラットフォームを構築および使用することを促進する。
【００３８】
代替の実施形態において、計量インタフェース装置１７０は、たとえば８０２．１１ｂ、ＢｌｕｅｔｏｏｔｈおよびＺｉｇＢｅｅ（登録商標）を含む追加の無線プロトコルを使用できる。（ＺｉｇＢｅｅは、ｔｈｅ  ＺｉｇＢｅｅ  Ａｌｌｉａｎｃｅ  ｏｆ  Ｓａｎ  Ｒａｍｏｎ、Ｃａｌｉｆｏｒｎｉａの登録商標である。）代替的に、任意の他の適切な無線プロトコルを使用してよい。追加の実施形態において、計量インタフェース装置１７０はまた、ＵＳＢ、ＲＳ２３２、Ｉ２Ｃ、ＳＰＩ、アナログおよび専用Ｉ／Ｏプロトコルを限定することなく含むプロトコルを用いて有線通信を提供できる。
【００３９】
環境１００Ｂにより、現場検査員１１１、１１２、１１３および１１４は環境１００または１００Ａに例示するよりも効率的に資産データを取得可能になる。たとえば、各現場検査員は、計量インタフェース装置１７０を使用することによってすべての計量感知装置１６１、１６３、１６４および１６５に無線接続できる。計量インタフェース装置１７０は、各計量感知装置の可用性をモバイルコンピューティング装置１３２に提示し、資産データを要求および転送することを可能にする。資産データを収集することを促進することによって、現場検査員１１１、１１２、１１３および１１４はさらに、資産データを監視サーバ１８０に転送できる。例証的な実施形態において、監視サーバ１８０も、ＢＬＥ用いてモバイルコンピューティング装置から資産データを受信する。代替の実施形態において、監視サーバ１８０は、たとえば、限定することなく８０２．１１ｂおよびＺｉｇＢｅｅ（登録商標）を含む任意の無線または有線プロトコル用いて資産データを受信できる。
【００４０】
少なくともいくつかの例では、現場検査員１１１、１１２、１１３および１１４は、少なくとも１つの計量インタフェース装置１７０を介して計量感知装置１６１、１６３、１６４および１６５から副資産データを受信する。上述のように、副資産データは、物理的資産１４０と関連した物理的測定値を直接示さない資産データを指す。その代わりに、副資産データは、物理的資産１４０と関連した物理的測定値を示す主資産データを求めるために処理してよい。副資産データを主資産データへと処理するために使用する処理方法の例は、数値計算、数値解析および複合モデリングを限定することなく含む。主資産データへの処理が必要であることがある資産データの分類の例は、化学センサからの離散値を主資産データとしての化学モデルを構築するために処理してよい化学データ、および離散電気信号を主資産データとしての電気的モデルへと処理してよい電気データを限定することなく含む。
【００４１】
副資産データを処理するには著しい計算能力が、したがって著しい処理能力をもつプロセッサ（図１Ｃには不図示）が必要であることがある。代替的に、副資産データを主資産データへと処理するには、たとえば、限定することなくメモリデバイス（図１Ｃには不図示）、データベース（図１Ｃには不図示）またはネットワーク接続コンピューティング装置を含むデータ源から外部データ（たとえば、データモデルまたは過去の主資産データ）を受領することが必要であることがある。したがって、副資産データをモバイルコンピューティング装置１３２などのコンピューティング装置によって主資産データへと処理することが効率的であろう。代替的に、モバイルコンピューティング装置１３２は、副資産データを主資産データへと処理するために副資産データを別個のコンピューティング装置（図１Ｃには不図示）に転送し、そしていくつかの例では、別個のコンピューティング装置から処理した主資産データを受信してよい。機能的には、計量インタフェース装置１７０によって促進された汎用無線プラットフォームの適用により、モバイルコンピューティング装置１３２を含むコンピューティング装置は計量感知装置１６１、１６３、１６４および１６５と協力して機能可能になり、したがってそのようなコンピューティング装置を、コンピューティング装置が物理的資産１４０に関する主資産データを生成するという点で、計量感知装置１６１、１６３、１６４および１６５の一部にする。
【００４２】
図２は、例示環境１００Ｂ（図１Ｃに図示）の監視を促進するために汎用無線プラットフォームを構築する際に用いる例証的な計量インタフェース装置１７０のブロック図２００である。計量インタフェース装置１７０は実質的にプリント回路基板（「ＰＣＢ」）を表す。ブロック図２００は、ＰＣＢの重要な機能部品を例示するように配置するが、しかしブロック図２００は、計量インタフェース装置１７０のすべての部品の網羅的な図またはそのような部品の機能配置を提示するものとは解釈するべきではない。計量インタフェース装置１７０は代替的にプリント回路アセンブリ（「ＰＣＡ」）として特徴付けてよいことに留意されたい。上述のように、計量インタフェース装置１７０は、計量感知装置、たとえば計量感知装置１６１（図１Ｃに図示）とモバイルコンピューティング装置１３２（図１Ｃに図示）との間の通信を促進する。
【００４３】
例証的な実施形態において、計量インタフェース装置１７０は、インタフェースリンク１７２を用いて計量感知装置１６１などの計量感知装置と通信する。インタフェースリンク１７２により、計量インタフェース装置１７０はＵＳＢ、ＲＳ２３２、Ｉ２Ｃ、ＳＰＩ、アナログおよび専用Ｉ／Ｏプロトコルを限定することなく含む複数の通信プロトコルを用いて通信可能になる。例証的な実施形態において、インタフェースリンク１７２は、ＳＰＩプロトコルを用いて計量感知装置に接続する。計量インタフェース装置１７０は、計量インタフェース装置１７０が計量感知装置１６１などの計量感知装置から主資産データおよび副資産データを含む資産データを含むデータを受信可能になる複数の通信モジュールを使用することによって計量感知装置との通信を促進する。複数の通信モジュールは、ＵＳＢモジュール２１２、ＲＳ２３２モジュール２１３、アナログモジュール２１４、Ｉ２Ｃモジュール２１５、ＳＰＩモジュール２１６および一般入出力モジュール２１７を含む。
【００４４】
計量感知装置１６１などのいくつかの計量感知装置は専用または特製の通信プロトコルを活用する。これらの通信プロトコルは、計量感知装置１６１の供給業者に特有で、または外部規格でよい。一般入出力モジュール２１７は、そのような専用または特製の通信プロトコルと対話することを可能にする。一般入出力モジュール２１７は、たとえばファームウェアインストールまたは更新を用いて特定の通信プロトコルとインタフェースするようにプログラムしてよい。
【００４５】
例証的な実施形態において、計量インタフェース装置１７０は、プロセッサ２２０およびメモリデバイス２２５を付加的に含む。例証的な実施形態において、計量インタフェース装置１７０は、単一のプロセッサ２２０および単一のメモリデバイス２２５を含む。代替の実施形態において、計量インタフェース装置１７０は、複数のプロセッサ２２０および／または複数のメモリデバイス２２５を含んでよい。いくつかの実施形態において、実行可能命令がメモリデバイス２２５に記憶される。計量インタフェース装置１７０は、プロセッサ２２０をプログラムすることによって本明細書に記載の１つまたは複数の動作を行うように構成可能である。たとえば、プロセッサ２２０は、動作を１つまたは複数の実行可能命令として符号化し、そして実行可能命令をメモリデバイス２２５に提供することによってプログラムしてよい。代替的に、プロセッサ２２０は、副資産データを主資産データへと処理するために使用してよい。
【００４６】
例証的な実施形態において、メモリデバイス２２５は、実行可能命令および／または他のデータなどの情報を記憶および検索することを可能にする１つまたは複数のデバイスである。メモリデバイス２２５は、限定することなくランダムアクセスメモリ（ＲＡＭ）、ダイナミックランダムアクセスメモリ（ＤＲＡＭ）、スタティックランダムアクセスメモリ（ＳＲＡＭ）、固体ディスク、ハードディスク、リードオンリメモリ（ＲＯＭ）、消去可能プログラマブルＲＯＭ（ＥＰＲＯＭ）、電気的消去可能プログラマブルＲＯＭ（ＥＥＰＲＯＭ）および／または不揮発性ＲＡＭ（ＮＶＲＡＭ）メモリなどの、１つまたは複数の有形の非一時的コンピュータ可読媒体を含んでよい。上記のメモリタイプは例証に過ぎないため、したがってコンピュータプログラムを記憶するために使用可能なメモリのタイプについて限定するものではない。
【００４７】
メモリデバイス２２５は、上述のような資産データを記憶するように構成してよい。資産データは、データバックアップを促進するために、資産データの複数のサンプルを提供するために、かつ較正を促進するために記憶してよい。メモリデバイス２２５は、資産データを処理するために使用するデータモデルおよび他のデータ構造を付加的に記憶してよい。例証的な実施形態において、計量インタフェース装置１７０は、プロセッサ２２０で実行されるファームウェアが符号化される。計量インタフェース装置用のファームウェアは、通信プロトコル、インタフェースプロトコル、暗号化、データフォーマットおよび電力管理を管理する。ファームウェアは、無線プログラミングを用いて、またはモバイルコンピューティング装置１３２などのコンピューティング装置との直接インタフェースを用いてインストール、更新または削除してよい。
【００４８】
計量インタフェース装置１７０は、ＢＬＥモジュール２３０をさらに含む。ＢＬＥモジュール２３０により、計量インタフェース装置１７０はＢｌｕｅｔｏｏｔｈ  Ｌｏｗ  Ｅｎｅｒｇｙ（登録商標）プロトコルを用いてモバイルコンピューティング装置１３２を含むコンピューティング装置と無線通信可能になる。例証的な実施形態において、計量インタフェース装置１７０は、計量インタフェース装置１７０を、８０２．１１ｂおよびＺｉｇＢｅｅ（登録商標）を限定することなく含む無線プロトコルを用いてコンピューティング装置と無線通信可能にする無線モジュール２４０をさらに含む。
【００４９】
計量インタフェース装置１７０は、現場検査員１１１（図１Ａに図示）などのユーザへの表示を促進するために使用できる発光ダイオード（「ＬＥＤ」）モジュール２５０も含む。ＬＥＤモジュール２５０は、電力可用性、信号強度、接続状況および資産データ読み出しを限定することなく含む、計量インタフェース装置１７０および接続した計量感知装置１６１に関する情報を示すために使用できる。
【００５０】
計量インタフェース装置１７０は、加速度計２６０を付加的に含む。加速度計２６０は、計量インタフェース装置１７０の基準系を求めるために使用してよい。基準系は、加速度計２６０によって求めて、そしてモバイルコンピューティング装置１３２などのコンピューティング装置に提供してよい。基準系データは、現場検査員１１１などのユーザに資産の物理状態に関する追加のデータを提供するために資産データと併用してよい。基準系データは、副資産データを主資産データへと処理するためにも使用してよい。基準系データは追加的に、資産データとしてモバイルコンピューティング装置１３２などのコンピューティング装置によって受信してよい。代替的に、加速度計２６０は、速度データおよび加速度計２６０によって生成してよい任意の他のデータを同様に求めて提供してよい。
【００５１】
計量インタフェース装置１７０は、ヒートシンクまたは放熱機構、コンデンサ、トランジスタ、および必要とされることがある任意の他の回路または部品（図２には不図示）を限定することなく含む、記載の機能を促進するために必要な任意の標準部品および周辺装置を付加的に含む。
【００５２】
動作の際、計量インタフェース装置１７０は、インタフェースリンク１７２を用いて計量感知装置１６１などの計量感知装置と通信するように構成される。計量インタフェース装置１７０と計量感知装置１６１との間の通信は、計量感知装置１６１がサポートする通信プロトコルに従い、したがってＵＳＢモジュール２１２、ＲＳ２３２モジュール２１３、アナログモジュール２１４、Ｉ２Ｃモジュール２１５、ＳＰＩモジュール２１６および一般入出力モジュール２１７の少なくとも１つが促進する。計量インタフェース装置１７０はしたがって、資産データを含め、計量感知装置に対してデータを送受信できる。資産データを含むデータは、メモリデバイス２２５に記憶してよい。
【００５３】
計量インタフェース装置１７０は、モバイルコンピューティング装置１３２などのコンピューティング装置とも通信する。計量インタフェース装置１７０とコンピューティング装置との間の通信は、ＢＬＥモジュール２３０および無線モジュール２４０の少なくとも１つが促進する。プロセッサ２２０は、ファームウェア機能を含む機能を実行して、通信プロトコルを管理し、資産データを副資産データから主資産データへと処理し、インタフェースプロトコルを管理し、暗号化を管理し、データフォーマットを管理し、さらに電力および他の資源を管理する。
【００５４】
代替の実施形態において、計量インタフェース装置１７０は、図２に示す部品およびモジュールの任意の組み合わせを含んでよい。いくつかの実施形態において、計量インタフェース装置１７０は、本明細書に記載のシステムおよび方法を促進するための付加の部品およびモジュールを含んでよい。
【００５５】
図３Ａは、計量インタフェース装置１７０（図２に図示）を含み、汎用無線プラットフォームを構築するために使用する例証的なフォブ装置３００の図である。フォブ装置３００は、計量インタフェース装置１７０を表すＰＣＢを収容するハウジング３０５を含む。したがって、計量インタフェース装置１７０は図３Ａでは見えない。フォブ装置３００は、計量感知装置１６１（図１Ｃに図示）などの計量感知装置と通信するために使用するインタフェースリンク１７２を含む。例証的な実施形態において、フォブ装置３００は、圧力感知装置と通信しており、資産データを受信する。フォブ装置３００は、資産データ３２５を表示することが可能なディスプレイ３２０も含む。例証的な実施形態において、ディスプレイ３２０は、液晶ディスプレイ（「ＬＣＤ」）である。代替の実施形態において、ディスプレイ３２０は、資産データ３２５を表すことが可能な任意のディスプレイを含んでよい。代替的に、ディスプレイ３２０は、電力可用性、信号強度および接続状況を限定することなく含む、計量インタフェース装置１７０および接続した計量感知装置１６１に関する任意の情報を表示してよい。
【００５６】
フォブ装置３００は、制御インタフェース３３０も含む。例証的な実施形態において、制御インタフェース３３０は、フォブ装置３００を制御することが可能な複数のボタンを含む。制御インタフェース３３０は、電源投入および切断、通信管理、再起動および資産データ３２５の較正を限定することなく含む機能を行い得る。フォブ装置３００は、通信リンク状況および電力状況を限定することなく含む、フォブ装置３００に関する情報を提供することが可能なＬＥＤディスプレイ３３５をさらに含む。
【００５７】
図３Ｂは、汎用無線プラットフォームを構築するために使用する計量インタフェース装置１７０（図２に図示）を含む例示ハイブリッド装置３００Ａの図である。ハイブリッド装置３００Ａは、インタフェースリンク１７２を用いて計量インタフェース装置１７０と通信している計量感知装置３５０を含む。換言すれば、ハイブリッド装置３００Ａは、計量感知装置３５０および計量インタフェース装置１７０を共有ハウジング３０５Ａに含む。フォブ装置３００でのように、ハイブリッド装置３００Ａは、資産データ３２５を表示するように構成されるディスプレイ３２０をさらに含む。ハイブリッド装置３００Ａは、ハイブリッド装置３００Ａを制御するために使用する制御手段３３０も含む。ハイブリッド装置３００Ａは、通信リンク状況および電力状況を限定することなく含む、ハイブリッド装置３００Ａに関する情報を提供することが可能であるＬＥＤディスプレイ３３５を付加的に含む。
【００５８】
したがって、ハイブリッド装置３００Ａは、特定の計量感知装置３５０がＢＬＥなどの無線プロトコルを用いてモバイルコンピューティング装置１３２（図１Ａに図示）などのコンピューティング装置と常に通信することが可能であることを保証することによって、値を提供してよい。ハイブリッド装置３００Ａは計量感知装置３５０および計量インタフェース装置１７０両方を含み、かつハイブリッド装置３００Ａはそれらが互いに通信しているように構成されるので、追加の構成は必要ない。
【００５９】
図４は、汎用無線プラットフォームを用いて計量インタフェース装置１７０（図２に図示）と対話することによって物理的資産１４０（図１Ｃに図示）を監視する際に使用してよいコンピューティング装置４００のブロック図である。コンピューティング装置４００は、ラップトップ、デスクトップ、ワークステーション、携帯情報端末、サーバ、ブレードサーバ、メインフレームおよび他の適切なコンピュータなどの各種の形態のデジタルコンピュータを表す。コンピューティング装置４００は、携帯情報端末、携帯電話、スマートフォンおよび他の同様のコンピューティング装置などの各種の形態のモバイル装置を表すようにも意図される。ここに図示する部品、それらの接続および関係、ならびにそれらの機能は単に例であるためのものであり、本書類に記載および／または特許請求される主題の実装を限定するためのものではない。
【００６０】
例証的な実施形態において、コンピューティング装置４００は、ユーザモバイルコンピューティング装置１３２、または監視サーバ１８０および記録コンピューティング装置１８１（図１Ｃに図示）のいずれかであり得る。コンピューティング装置４００は、バス４０２、プロセッサ４０４、主メモリ４０６、リードオンリメモリ（ＲＯＭ）４０８、ストレージデバイス４１０、入力デバイス４１２、出力デバイス４１４および通信インタフェース４１６を含んでよい。バス４０２は、コンピューティング装置４００の部品間の通信を可能にする経路を含んでよい。
【００６１】
プロセッサ４０４は、命令を解釈および実行する任意の種類の従来のプロセッサ、マイクロプロセッサまたは処理ロジックを含んでよい。プロセッサ４０４は、高速インタフェースに結合されるディスプレイ４１４などの外部入出力デバイス上のＧＵＩ用のグラフィック情報を表示するためにメモリ４０６またはストレージデバイス４１０に記憶される命令を含め、コンピューティング装置４００内で実行するための命令を処理できる。他の実装では、複数のプロセッサおよび／または複数のバスを、必要に応じて複数のメモリおよび種類のメモリと共に使用してよい。また、複数のコンピューティング装置４００を、各装置が必要な動作の部分を（たとえば、サーババンク、一群のブレードサーバまたはマルチプロセッサシステムとして）提供するように接続してよい。いくつかの例示実施形態において、複数のコンピューティング装置４００を、物理的資産１４０（図１Ｃに図示）の現場検査に関する情報を受信、処理および通信するために使用する。
【００６２】
主メモリ４０６は、情報および命令をプロセッサ４０４によって実行するために記憶するランダムアクセスメモリ（ＲＡＭ）または別の種類のダイナミックストレージデバイスを含んでよい。ＲＯＭ４０８は、静的情報および命令をプロセッサ４０４によって使用するために記憶する従来のＲＯＭデバイスまたは別の種類のスタティックストレージデバイスを含んでよい。主メモリ４０６は、コンピューティング装置４００内の情報を記憶する。一実装では、主メモリ４０６は１つまたは複数の揮発性メモリユニットである。別の実装では、主メモリ４０６は１つまたは複数の不揮発性メモリユニットである。主メモリ４０６は、磁気または光ディスクなどの別の形態のコンピュータ可読媒体でもあってもよい。
【００６３】
ストレージデバイス４１０は、磁気および／または光記録媒体ならびにその対応ドライブを含んでよい。ストレージデバイス４１０は、コンピューティング装置４００に大容量記憶を提供することが可能である。一実装では、ストレージデバイス４１０は、フロッピーディスクデバイス、ハードディスクデバイス、光ディスクデバイスもしくはテープデバイスなどのコンピュータ可読媒体、フラッシュメモリもしくは他の同様の固体メモリデバイス、またはストレージエリアネットワークもしくは他の構成のデバイスを含むデバイスアレイであってよいか、またはそれを含んでよい。コンピュータプログラム製品が、情報担体で有形に具象化できる。コンピュータプログラム製品はまた、実行されると、上述のものなどの１つまたは複数の方法を行う命令を含んでよい。情報担体は、主メモリ４０６、ＲＯＭ４０８、ストレージデバイス４１０またはプロセッサ４０４上のメモリなどのコンピュータまたは機械可読媒体である。
【００６４】
高速コントローラはコンピューティング装置４００の帯域幅集約的な動作を管理する一方で、低速コントローラは低帯域幅集約的な動作を管理する。そのような機能の割り当ては、例示目的に過ぎない。一実装では、高速コントローラは、主メモリ４０６、ディスプレイ４１４に（たとえば、グラフィックスプロセッサまたはアクセラレータを介して）、および様々な拡張カード（不図示）を受けてよい高速拡張ポートに結合される。その実装では、低速コントローラは、ストレージデバイス４１０および低速拡張ポートに結合される。様々な通信ポート（たとえば、ＵＳＢ、Ｂｌｕｅｔｏｏｔｈ、イーサーネット、ワイヤレスイーサーネット）を含んでよい低速拡張ポートは、キーボード、ポインティングデバイス、スキャナ、またはたとえばネットワークアダプタを通じるスイッチもしくはルータなどのネットワーク接続デバイスなどの１つまたは複数の入出力デバイスに結合してよい。
【００６５】
入力デバイス４１２は、コンピューティング装置４００が、視覚、音声、タッチ、ボタン押、スタイラスタップなどを含む、現場検査員１１１、１１２、１１３および１１４（図１Ｂに図示）などのユーザからの指令、命令または他の入力を受信可能になる従来の機構を含んでよい。追加的に、入力デバイスは、位置情報を受信してよい。したがって、入力デバイス４１２は、たとえばカメラ、マイクロフォン、１つもしくは複数のボタン、タッチスクリーンおよび／またはＧＰＳ受信機を含んでよい。出力デバイス４１４は、ディスプレイ（タッチスクリーンを含む）および／またはスピーカを含む、ユーザに情報を出力する従来の機構を含んでよい。通信インタフェース４１６は、コンピューティング装置４００を他の装置および／またはシステムと通信可能にする任意の送受信機のような機構を含んでよい。たとえば、通信インタフェース４１６は、ネットワークを介して別の装置またはシステムと通信するための機構を含んでよい。
【００６６】
本明細書に記載のように、コンピューティング装置４００は、計量インタフェース装置を介して計量感知装置から資産データを取得するために汎用無線プラットフォームを使用することを促進する。コンピューティング装置４００は、動的ワークフロー処理ならびにそれによって資産データの収集、検討および処理をさらに促進する。コンピューティング装置４００は、プロセッサ４０４がメモリ４０６などのコンピュータ可読媒体に収容したソフトウェア命令を実行するのに応答して、これらのおよび他の動作を行ってよい。コンピュータ可読媒体は、物理もしくは論理メモリデバイスおよび／または搬送波として定義してよい。ソフトウェア命令は、データストレージデバイス４１０などの別のコンピュータ可読媒体から、または通信インタフェース４１６を介して別の装置からメモリ４０６へ読み込んでよい。メモリ４０６に収容されるソフトウェア命令により、プロセッサ４０４は本明細書に記載のプロセスを行ってよい。代替的に、本明細書における主題と一致するプロセスを実装するために、ソフトウェア命令の代わりにまたはそれらと組み合わせて実配線回路を使用してよい。したがって、本明細書に開示の主題の原理と一致する実装は、ハードウェア回路およびソフトウェアの任意の特定の組み合わせに限定されない。
【００６７】
コンピューティング装置４００は、図面に図示するように、多くの異なる形態で実装してよい。たとえば、それは標準的なサーバとして、または一群のそのようなサーバで複数回実装してよい。それはまた、ラックサーバシステムの一部として実装してもよい。加えて、それは、ラップトップコンピュータなどのパーソナルコンピュータで実装してよい。そのような装置の各々は１つまたは複数のコンピューティング装置４００を含んでよく、システム全体は互いに通信する複数のコンピューティング装置４００から構成してよい。
【００６８】
プロセッサ４０４は、主メモリ４０６に記憶した命令を含む、コンピューティング装置４００内の命令を実行できる。プロセッサは、別個のおよび複数のアナログおよびデジタルプロセッサを含むチップとして実装してよい。プロセッサは、ユーザインタフェース、コンピューティング装置４００によって実行されるアプリケーションおよびコンピューティング装置４００による無線通信の制御などの、たとえばコンピューティング装置４００のその他の部品の協調に備えてよい。
【００６９】
コンピューティング装置４００は、プロセッサ４０４、主メモリ４０６、ＲＯＭ４０８、入力デバイス４１２、ディスプレイ４１４などの出力デバイス、通信インタフェース４１６、その他たとえば受信機および送受信機を含む他の部品を含む。コンピューティング装置４００には、追加のストレージを提供するために、マイクロドライブまたは他のデバイスなどのストレージデバイス４１０も設けてよい。部品の各々は様々なバスを用いて相互接続され、部品のいくつかは、共通のマザーボードにまたは必要に応じて他の態様で搭載してよい。
【００７０】
コンピューティング装置４００は、必要に応じデジタル信号処理回路を含んでよい通信インタフェース４１６を通じて無線通信してよい。例証的な実施形態において、通信インタフェース４１６は、Ｂｌｕｅｔｏｏｔｈ（登録商標）Ｌｏｗ  Ｅｎｅｒｇｙ（「ＢＬＥ」）またはＢｌｕｅｔｏｏｔｈ  ＳＭＡＲＴ（登録商標）を使用する通信に備える。通信インタフェース４１６は、とりわけ８０２．１１ｂ、ＺｉｇＢｅｅ（登録商標）、ＧＳＭ（登録商標）音声通話、ＳＭＳ、ＥＭＳもしくはＭＭＳメッセージング、ＣＤＭＡ、ＴＤＭＡ、ＰＤＣ、ＷＣＤＭＡ（登録商標）、ＣＤＭＡ２０００、またはＧＰＲＳなどの様々なモードまたはプロトコル下での通信にも備えてよい。そのような通信は、たとえば無線周波数送受信機を通して行ってよい。加えて、Ｂｌｕｅｔｏｏｔｈ（登録商標）、ＷｉＦｉまたは他のそのような送受信機（不図示）を使用するなどして、短距離通信を行ってよい。加えて、ＧＰＳ（全地球測位システム）受信機モジュールが、コンピューティング装置４００に追加のナビゲーションおよび位置関連無線データを提供してよく、それは必要に応じて、コンピューティング装置４００上で実行されるアプリケーションが使用してよい。
【００７１】
図５は、汎用無線プラットフォーム、より具体的には計量インタフェース装置１７０を用いて計量感知装置５４０と対話するモバイルコンピューティング装置１３２によって実装されるシステム５００の例証的なプロセスフローである。図５は、汎用無線プラットフォームを用いる計量感知装置５４０、計量インタフェース装置１７０およびモバイルコンピューティング装置１３２間の対話を説明するための、システム５００におけるプラットフォームの使用の簡略モデルを例示する。１人のユーザ５１０、１つのモバイルコンピューティング装置１３２、１つの物理的資産５３０、１つの計量感知装置５４０、１つのインタフェースリンク１７２および１つの計量インタフェース装置１７０のみを図示するけれども、汎用無線プラットフォームは任意の数の各部品を促進できる。以下に記載のように、付加の部品を導入すると対話は変化することがあることに留意されたい。
【００７２】
例証的な実施形態において、システム５００は、モバイルコンピューティング装置１３２を使用して資産監視および検査作業を行う、現場検査員１１１（図１Ｃに図示）などのユーザ５１０を含む。システム５００は、計量感知装置５４０によって測定される物理的資産５３０も含む。例証的な実施形態において、物理的資産５３０は圧力容器であり、計量感知装置５４０は検圧計である。他の実施形態において、物理的資産５３０は任意の種類の物理的資産でよく、計量感知装置５４０は物理的資産５３０に関する資産データを収集し、インタフェースリンク１７２を介して計量インタフェース装置１７０と対話することが可能な任意のセンサまたは装置でよい。システム５００は、インタフェースリンク１７２を介して計量感知装置５４０と通信する計量インタフェース装置１７０も含む。例証的な実施形態において、計量インタフェース装置１７０は、Ｉ２Ｃプロトコルを用いて計量感知装置５４０と通信するフォブ装置３００（図３Ａに図示）である。他の実施形態において、計量インタフェース装置１７０は、ハイブリッド装置３００Ａ（図３Ｂに図示）に収容して、任意の通信プロトコルを用いて計量感知装置５４０と通信してよい。
【００７３】
動作の際、計量インタフェース装置１７０は、無線プロトコルを用いて接続の可用性を広告５７２する。例証的な実施形態において、計量インタフェース装置１７０は、Ｂｌｕｅｔｏｏｔｈ（登録商標）Ｌｏｗ  Ｅｎｅｒｇｙを用いて可用性を広告５７２するために、ＢＬＥモジュール２３０（図２に図示）を使用する。本明細書で使用する場合、「広告する」は、計量インタフェース装置１７０などの装置による、装置が接続および通信に利用可能であることを示す実質的に持続的な通信を指す。いくつかの例では、計量インタフェース装置１７０は、プライベートモードで広告してよい。プライベートモードにより、計量インタフェース装置１７０に対する既存の識別情報をもつコンピューティング装置１３２のみが計量インタフェース装置１７０の広告５７２した可用性を検出可能になる。
【００７４】
ユーザ５１０は、モバイルコンピューティング装置１３２に、計量インタフェース装置１７０の可用性を求めて走査５７４するように要求する。走査５７４は、計量インタフェース装置１７０が広告５７２したすべての利用可能な資産５７３を検出する。したがって、利用可能な資産５７３は、可用性を広告している計量インタフェース装置１７０を指す。利用可能な資産５７３は、識別した利用可能な資産５７５としてモバイルコンピューティング装置１３２に報告される。少なくともいくつかの例では、走査５７４は、モバイルコンピューティング装置１３２から特定の物理的距離内の利用可能な資産５７３のみを検出する。いくつかの追加の例では、物理的距離は、モバイルコンピューティング装置１３２と計量インタフェース装置１７０との間の信号強度によって決定してよい。したがって、特定の計量インタフェース装置１７０が可用性を広告しているとしても、モバイルコンピューティング装置１３２は、物理的距離、物理的障害および／または弱い信号強度によって、可用性を識別５７５することができないことがある。
【００７５】
ユーザ５１０は、モバイルコンピューティング装置１３２上ですべての識別した利用可能な資産５７５を見て、接続する特定の識別した利用可能な資産５７５を選択できる。選択すると、モバイルコンピューティング装置１３２は、計量インタフェース装置１７０との接続を要求５７６する。接続を要求５７６するには、暗号化、セキュリティキーおよび許可を使用することが必要であり得る。そのような措置により、計量インタフェース装置１７０が収集する、資産データを含むデータの安全性を高めることが可能になる。そのような許可、暗号化およびセキュリティキーが成功裏に使用され満たされれば、モバイルコンピューティング装置１３２および計量インタフェース装置は接続を確立５７７する。例証的な実施形態において、接続を確立５７７することで構築される接続は「アクティブな」接続である。例証的な実施形態において、本明細書で使用するアクティブな接続により、モバイルコンピューティング装置１３２は資産データを含むデータを計量インタフェース装置１７０に対して送受信可能になる。さらには、例証的な実施形態において、アクティブな接続は、他のモバイルコンピューティング装置１３２は計量インタフェース装置１７０に同時にアクセスできないことを意味する排他的な接続である。排他性により、ユーザ５１０によって冗長なデータが収集されることが削減され、また計量インタフェース装置１７０を不必要に使用することが減少する。計量インタフェース装置１７０を不必要に使用することの減少により、計量インタフェース装置１７０の省電力が実質的に促進される。排他的でアクティブな接続は、計量インタフェース装置１７０が１つのモバイルコンピューティング装置１３２にしか接続できないことを意味することに留意すべきである。しかしながら、モバイルコンピューティング装置１３２は、複数の計量インタフェース装置１７０に接続できる。他の実施形態において、計量インタフェース装置１７０は、アクティブな接続において非排他的な接続を有してよい。
【００７６】
いくつかの例では、接続を確立５７７することによって形成される接続は「休眠」接続でよい。休眠接続は、計量インタフェース装置１７０とモバイルコンピューティング装置１３２との間で通信が発生しない間にアクティブな接続の排他性を維持してよい。モバイルコンピューティング装置１３２および／または計量インタフェース装置１７０の１つが接続状態に変化が発生したと判定すれば、休眠接続が確立されてよい。接続状態の変化は、信号強度が信号強度閾値を下回り、計量インタフェース装置１７０とモバイルコンピューティング装置１３２との間の通信頻度が通信間隔閾値を下回り、計量インタフェース装置１７０とモバイルコンピューティング装置１３２との間の経過期間が総接続時間限度を超え、また計量インタフェース装置１７０の残存電池寿命が電池寿命閾値を下回ることによって示してよい。代替的に、接続状態の変化により、接続を解放してよい。接続を解放することにより、アクティブな接続が終了し、その結果計量インタフェース装置１７０とモバイルコンピューティング装置１３２との間の通信を妨げ、アクティブな接続を再生することもない。接続を解放することにより、計量インタフェース装置１７０は可用性の広告５７２を開始するようにもなる。
【００７７】
接続が確立５７７すると、モバイルコンピューティング装置１３２は追加的に、計量インタフェース装置１７０と通信５７８できる。通信５７８は、資産データを含むデータを送受信することを表す。換言すれば、接続が確立５７７すると、モバイルコンピューティング装置１３２は、計量感知装置５４０が検出してインタフェースリンク１７２を用いて計量インタフェース装置１７０に伝送したような、物理的資産５３０の物理状態に対応する資産データを受信できる。通信５７８は、計量インタフェース装置１７０に命令を送信することも表す。たとえば、例証的な実施形態において、モバイルコンピューティング装置１３２を見ているユーザ５１０は、計量インタフェース装置１７０から伝送された資産データに異常がありそうであると判定してよい。ユーザ５１０は、モバイルコンピューティング装置１３２に、較正要求を計量インタフェース装置１７０に伝送して較正プロセスがプロセッサ２２０（図２に図示）上で実行されるように要求してよい。
【００７８】
モバイルコンピューティング装置１３２は、システム５００を促進するように設計されるソフトウェアを含む。多くの公知の種類のモバイルコンピューティング装置１３２が存在し、そして多くの公知の種類のオペレーティングシステム、物理ハードウェアおよび関連構成と関連付けられる。システム５００を促進するように設計されるソフトウェアは、複数の種類のモバイルコンピューティング装置１３２上でかつ複数の関連オペレーティングシステムおよびハードウェアタイプにわたって展開してよい柔軟なアーキテクチャで設計される。したがって、計量インタフェース装置１７０は実質的に汎用無線プラットフォームを可能にし、複数の種類の計量感知装置５４０がモバイルコンピューティング装置１３２を含むコンピューティング装置にデータを伝送することを可能にする一方、システム５００と関連したソフトウェア設計は実質的に、複数の種類のモバイルコンピューティング装置１３２が汎用無線プラットフォームと対話することを可能にする。追加的に、システム５００を促進するソフトウェアは、同様に任意のコンピューティング装置４００（図４に図示）をサポートしてよい。
【００７９】
図６は、効率的な資産データ収集、資産監視および資産検査を促進するために、汎用無線プラットフォーム、より具体的には計量インタフェース装置１７０を用いて計量感知装置６４０と対話するモバイルコンピューティング装置１３２によって実装されるシステム６００の例証的なプロセスフローである。
【００８０】
図５でのように、図６は、モバイルコンピューティング装置１３２を使用して物理的資産６３０を検査および監視するユーザ、すなわち現場検査員６１０を含む。物理的資産６３０は、計量感知装置６４０によって監視される。例証的な実施形態において、物理的資産６３０は圧力容器６３０であり、計量感知装置６４０は検圧計である。他の実施形態において、物理的資産６３０は任意の種類の物理的資産でよく、計量感知装置６４０は物理的資産６３０に関する資産データを収集し、インタフェースリンク１７２を介して計量インタフェース装置１７０と対話することが可能な任意のセンサまたは装置でよい。
【００８１】
システム６００は、モバイルコンピューティング装置１３２とネットワーク通信している複数のコンピューティング装置も含む。例証的な実施形態において、コンピューティング装置は、タブレット６２１、ラップトップ６２２およびサーバ６２３を含む。コンピューティング装置６２１、６２２および６２３は、クラウド資源６９０として機能し、結果としてモバイルコンピューティング装置１３２の補助処理資源として機能できる。コンピューティング装置６２１、６２２および６２３を含むクラウド資源６９０は、モバイルコンピューティング装置１３２にデータを提供することもできる。コンピューティング装置６２１、６２２および６２３を含むクラウド資源６９０は、一般コンピューティング装置４００（図４に図示）の例である。コンピューティング装置６２１、６２２および６２３は、それぞれユーザ６１１、６１２および６１３と関連付けられる。ユーザ６１１、６１２および６１３は、記載の処理および分析を促進するために使用してよい。追加的に、コンピューティング装置６２１、６２２および６２３でユーザ６１１、６１２および６１３などのユーザから受け付ける入力は、処理および分析を促進するために使用してよい。換言すれば、処理および分析は実質的に、ユーザ６１１、６１２および６１３などのユーザからの専門ユーザデータを組み込んでよい。代替的に、処理および分析は、コンピューティング装置６２１、６２２および６２３を用いてヒューリスティクアルゴリズムを含むアルゴリズムを適用してよい。
【００８２】
図５でのように、同様にシステム６００を促進するように設計されるソフトウェアが、モバイルコンピューティング装置１３２を含む複数の種類のコンピューティング装置用に設計される。したがって、ソフトウェアは、複数のモバイルコンピューティング装置１３２のために、複数のオペレーティングシステムおよびハードウェアアーキテクチャとの対話を促進する。追加的に、システム６００を促進するソフトウェアは、同様に任意のコンピューティング装置４００（図４に図示）をサポートしてよい。
【００８３】
動作の際、モバイルコンピューティング装置１３２は、計量インタフェース装置１７０との確立した接続５７７（図５に図示）を有し、また通信５７８（図５に図示）することが可能である。モバイルコンピューティング装置１３２は、計量データセットまたは資産データセット６７４を要求６７３する。資産データセット６７４は、計量感知装置６４０が測定してインタフェースリンク１７２を用いて計量インタフェース装置１７０に伝送した少なくとも１つの資産データを表す。資産データセット６７４は、無線プロトコルを用いて計量インタフェース装置１７０によってモバイルコンピューティング装置１３２に送信される。資産データセット６７４は、主資産データ（すなわち、物理的資産６３０の物理的特性を表す資産データ）または副資産データ（すなわち、主資産データへと処理してよい資産データ）を表してよい。例証的な実施形態において、物理的資産６３０は圧力容器であり、計量感知装置６４０は検圧計である。したがって、資産データセット６７４は、圧力容器６３０と関連した複数の圧力示度を示す。
【００８４】
クラウド資源６９０（コンピューティング装置６２１、６２２および６２３を含む）および／またはモバイルコンピューティング装置１３２は、付加的にメモリデバイス４０６（図４に図示）などのメモリデバイスに資産モデル６７５を記憶する。資産モデル６７５は、履歴的に利用可能な資産データに基づいて物理的資産６３０の状態を反映する。換言すれば、資産モデル６７５は、現在受信される資産データセット６７４を考慮しない物理的資産６３０の状態を表す。資産モデル６７５は期待状態、したがって物理的資産６３０の経過期間、使用状況および状態を含む要因に基づく物理的資産６３０と関連した期待資産データを示す。したがって、物理的資産６３０を検査および監視することは、資産データセット６７４と資産モデル６７５との間の比較を伴う。例証的な実施形態において、資産モデル６７５は、圧力容器６３０の予測状態、および資産データセット６７４で計量感知装置６４０から受信すると期待される予測圧力示度を示す。
【００８５】
資産データセット６７４は、性質６７６を求めるために資産モデル６７５で処理資産データセットへと処理される。この処理ステップは、モバイルコンピューティング装置１３２および／またはクラウド資源６９０を用いて、資産データセット６７４を副資産データから主資産データへと処理することを追加的に含んでよい。さらには、クラウド資源６９０の可用性およびモバイルコンピューティング装置１３２の処理能力に応じて、モバイルコンピューティング装置１３２は、性質６７６をローカルで（すなわち、モバイルコンピューティング装置１３２を用いて）求めるか、またはクラウド資源６９０が性質６７６を処理するように要求する。性質６７６は実質的に、資産データセット６７４が資産モデル６７５によって予測されるかどうか判定すること、または代替的に資産データセット６７４が資産モデル６７５と資産データセット６７４との間の相違を示すかどうかを判定することを表す。例証的な実施形態において、性質６７６を求めることは、資産モデル６７５に基づく圧力容器６３０の期待圧力示度を、資産データセット６７４で計量感知装置６４０から受信した実際の圧力示度と比較することを表す。相違があれば、それは資産データセット６７４が不正確であるかまたは資産モデル６７５が不正確であることを示唆してよい。したがって、異常が存在することを判定するために、追加の示度が有用であろう。代替的に、相違がなければ、それは資産モデル６７５が正確であり、現場検査員６１０は圧力容器６３０を検査し続ける必要がなくてよいことを示唆してよい。より複雑な例では、資産モデル６７５と資産データセット６７４との間のそのような迅速な調停により、現場検査は実質的により効率的になり得る。性質６７６に相違が存在する場合、現場検査員６１０は、追加の示度を資産データセット６７４として測り、資産モデル６７５を効率的に更新または置換してよい。代替的に、性質６７６に相違が存在しないと判定される場合、現場検査員６１０は、記載のシステムおよび方法を使用しない場合に可能であるよりも早い時点で現場検査を切り上げることによって、現場検査への時間および資源の消費を低減できる。
【００８６】
性質６７６が、資産データセット６７４が資産モデル６７５によって予測されることを示す場合、モバイルコンピューティング装置１３２はレポート６７８を生成する。レポート６７８は、モバイルコンピューティング装置１３２、クラウド資源６９０、現場検査員６１０およびユーザ６１１、６１２、６１３を限定することなく含む少なくとも１つのレポート受け側に伝送されるだろう。レポート６７８は、電子メール、ＳＭＳ、データベース更新、ファイル転送および物理ファイルの物理的な送付を限定することなく含む任意の適切なプロトコルを用いて送信してよい。
【００８７】
性質６７６が、資産データセット６７４が資産モデル６７５によって予測されないことを示す場合、モバイルコンピューティング装置は代替的に資産モデル６７５を再較正もしくは更新するか、または資産データセット６７４を再び要求６７３する。例証的な実施形態において、資産データセット６７４からの圧力示度が資産モデル６７５と不一致である場合、より多くの示度を要求してよい。少なくともいくつかの例では、資産モデル６７５が実際に不正確であるかどうかを確認することが重要であろう。たとえば、遷移状態または不一致な計量感知装置６４０により、資産データセット６７４は短期間にわたり性質６７６の相違を引き起こすことがある。したがって、いくつかの検査では、資産データセット６７４が資産モデル６７５と相違していることを複数回確認する必要があってよい。一旦相違が十分に確認されると、資産モデル６７５を更新してよい。他の例では、しかしながら、資産モデル６７５は相違を判定して直ちに更新してよい。たとえば、資産データセット６７４が単純であり信頼がある（たとえば、新しい計量感知装置６４０の幅の物理的測定値）と分かっていれば、複数の示度を測ることは非効率的であろうし、新たな資産データセット６７４を要求せずに資産モデル６７５を更新してよい。
【００８８】
資産モデル６７５を更新することは、少なくとも１つの資産データセット６７４および資産モデル６７５を処理して新たな資産モデルを求めることを表す。少なくともいくつかの資産モデル６７５を更新するために必要であり得る計算量を考慮すれば、そのような更新のためにクラウド資源６９０を活用してよい。
【００８９】
図６に例示するワークフローの間、現場検査員６１０は、たとえばユーザ６１１、６１２および６１３を含む人間のユーザからの追加の外部入力、およびたとえばクラウド資源６９０と関連したデータ源を探してよい。したがって、ソフトウェアシステムは、メッセージングおよびチャットソフトウェアを限定することなく含む、現場検査員６１０とユーザ６１１、６１２および６１３との間の対話を促進するツールを提供する。同様に、ソフトウェアシステムは、クラウド資源６９０への問い合わせを促進するツールを提供する。
【００９０】
図７は、汎用無線プラットフォームを用いて計量インタフェース装置１７０（図５に図示）と通信するモバイルコンピューティング装置１３２（共に図５に図示）によって行われる例証的な方法７００である。
【００９１】
モバイルコンピューティング装置１３２は、利用可能な計量インタフェース装置１７０を求めて走査７１０する。走査７１０は実質的に、モバイルコンピューティング装置１３２がＢｌｕｅｔｏｏｔｈ（登録商標）Ｌｏｗ  Ｅｎｅｒｇｙを含む無線プロトコルを用いて、利用可能な資産５７３として可用性を広告５７２しており、したがって識別した利用可能な資産５７５（図５に図示）である計量インタフェース装置１７０を識別することを表す。
【００９２】
モバイルコンピューティング装置１３２は、利用可能な計量インタフェース装置の少なくとも１つに接続要求を伝送７２０する。伝送７２０は実質的に、モバイルコンピューティング装置１３２が、少なくとも１つの計量インタフェース装置１７０に接続を要求５７６（図５に図示）することを表す。
【００９３】
モバイルコンピューティング装置１３２は、少なくとも１つの利用可能な計量インタフェース装置とのアクティブな接続を構築７３０する。アクティブな接続の構築７３０は、モバイルコンピューティング装置が、識別した利用可能な資産５７５の１つとの接続を要求５７６（図５に示す）し、そして接続を確立５７７することを表す。
【００９４】
モバイルコンピューティング装置１３２は、少なくとも１つの接続する計量インタフェース装置と通信７４０する。通信７４０は、モバイルコンピューティング装置１３２が、接続が確立５７７した後で計量インタフェース装置１７０と通信することを表す。
【００９５】
図８は、汎用無線プラットフォームを用いて計量インタフェース装置１７０および複数のクラウドベースの資源６９０（すべて図６に図示）と通信するモバイルコンピューティング装置１３２によって行われる例証的な方法８００である。
【００９６】
モバイルコンピューティング装置１３２は、先ず計量インタフェース装置から計量データセットを受信８１０する。受信８１０は、モバイルコンピューティング装置１３２が、資産データセット６７４を要求６７３（共に図６に図示）した後に資産データセット６７４を受信することを表す。資産データセット６７４は、計量感知装置６４０（図６に図示）が検出して計量インタフェース装置１７０に伝送した資産データを含む。
【００９７】
モバイルコンピューティング装置１３２は、計量データセットおよび資産モデルを処理計量データセットへと処理する。処理８２０は、モバイルコンピューティング装置１３２が、モバイルコンピューティング装置と関連したメモリデバイス４０６（図４に図示）およびクラウドベースの資源６９０と関連したメモリデバイス４０６の少なくとも１つに資産モデル６７５（図６に図示）を要求し、そして予測資産データセットを資産データセット６７４と比較することを表す。少なくともいくつかの実施形態において、モバイルコンピューティング装置１３２は、資産データセット６７４および資産モデル６７５を処理８２０するためにクラウドベースの資源６９０を使用する。
【００９８】
処理８２０は、不一致または処理計量データセットにおける計量相違の判定という結果になることがある。そのような計量相違を判定すると、モバイルコンピューティング装置１３２は、資産モデルを再較正８３０し、計量インタフェース装置から計量データセットを受信８１０する。換言すれば、計量相違が判定されると、資産モデル６７５を調整してよく、そして再較正した資産モデル６７５を確認するために新たな資産データセット６７４を要求および受信する。
【００９９】
計量相違がないと判定すると、コンピューティング装置１３２は、計量データセットおよび資産モデルを少なくとも１つのレポート受け側に報告８４０する。報告８４０は、モバイルコンピューティング装置１３２、クラウド資源６９０、現場検査員６１０およびユーザ６１１、６１２、６１３（すべて図６に図示）を限定することなく含む少なくとも１つのレポート受け側にレポート６７８（図６に図示）を伝送することを表す。
【０１００】
図９は、図５および６に図示する環境において使用してよい１つまたは複数の例示コンピューティング装置の部品の図である。
【０１０１】
たとえば、コンピューティング装置４００の１つまたは複数は、資産データセット６７４および資産モデル６７５（図６に図示）を処理および伝送するために使用してよい。コンピューティング装置４００は、モバイルコンピューティング装置１３２（図５および６に図示）およびクラウド資源６９０（図６に図示）を含んでよい。図９は、任意のコンピューティング装置４００と通信していてよいデータベース９２０の構成をさらに図示する。データベース９２０は、コンピューティング装置４００内のいくつかの別個の部品に結合され、また特定の作業を行う情報を含む。
【０１０２】
コンピューティング装置４００は、利用可能な計量インタフェース装置１７０（図２に図示）を求めて走査７１０（図７に図示）するための走査部品９０２を含む。コンピューティング装置４００は、利用可能な計量インタフェース装置の少なくとも１つに接続要求を伝送７２０（図７に図示）するための伝送部品９０３をさらに含む。コンピューティング装置４００は、少なくとも１つの利用可能な計量インタフェース装置とのアクティブな接続を構築７３０（図７に図示）するための構築部品９０４も含む。コンピューティング装置４００は、少なくとも１つの接続する計量インタフェース装置と通信７４０（図７に図示）するための通信部品９０５を付加的に含む。コンピューティング装置４００は、計量インタフェース装置から計量データセットを受信８１０（図８に図示）するための受信部品９０６をさらに含む。コンピューティング装置４００は、計量データセットおよび資産モデルを処理計量データセットへと処理８２０（図８に図示）するための処理部品９０７も含む。コンピューティング装置４００は、資産モデルを再較正８３０（図８に図示）するための再較正部品９０８を付加的に含む。コンピューティング装置４００はその上、モバイルコンピューティング装置１３２、クラウド資源６９０、現場検査員６１０およびユーザ６１１、６１２、６１３（すべて図６に図示）を限定することなく含む少なくとも１つのレポート受け側にレポート６７８（図６に図示）を報告８４０（図８に図示）するための報告部品９０９を含む。
【０１０３】
例証的な実施形態において、データベース９２０は、データモデリング区分９１０、アルゴリズム区分９１２、ヒューリスティクス区分９１４、通信プロトコルおよび管理区分９１６、およびアプリケーション区分９１８を含むが、これらに限定されない複数の区分に分割される。データベース９２０内のこれらの区分は、必要に応じて情報を更新および検索するために相互接続される。データモデリング区分９１０はデータモデルを含んでよい。アルゴリズム区分９１２は、資産データを処理および分析するためのアルゴリズムを含んでよい。ヒューリスティクス９１４は、資産データに関する問題を解決するためのプログラムおよび機能を含んでよい。通信およびプロトコル管理区分９１６は、汎用無線プラットフォームにわたる通信に関する情報およびポリシを含んでよい。アプリケーション区分９１８は、記載のシステムおよび方法を促進するためにアプリケーションならびにアプリケーションの配布およびバージョンに関連する情報を含んでよい。
【０１０４】
上述のコンピュータ実装システムおよび方法は、汎用無線プラットフォームを用いて物理的資産を検査および監視するための効率的な手法を提供する。システムおよび方法は、複数の計量感知装置からデータを受信し、複数のコンピューティング装置にデータを伝送することが可能な計量インタフェース装置を提供することによって、そのような効率を構築する。本明細書に記載の実施形態はまた、タイミングまたは協調が不適切な決定に関連した通信および物流費用を低減する。具体的には、上述のデータを効率的に収集することによって、データ収集に費やされる労力が限定され、計量感知装置との物理的相互作用が最小限となる。したがって、そのような手法がなければ発生することがある問題が最小限となる。また、本明細書に記載の方法およびシステムは、監視および検査作業での資源の利用率を向上させる。具体的には、そのような協調したクラウドベースの手法をとることによって、資源利用率が増加する。さらには、本明細書に記載の方法およびシステムは、協調活動の増強により資本および人的資源消費を向上させる。
【０１０５】
本明細書に記載の方法およびコンピュータ実装システムの例証的な技術的効果は、（ａ）物理的資産の現場検査の向上、（ｂ）資産データの分析速度の向上、および（ｃ）物理的資産の診断および保守の応答時間の改善の少なくとも１つを含む。
【０１０６】
検査および監視の際に用いる汎用無線プラットフォームを促進するための例証的な実施形態が以上詳述される。コンピュータ実装システムおよびそのようなシステムを作動させる方法は本明細書に記載の特定の実施形態には限定されず、むしろシステムの部品および／または方法のステップは本明細書に記載の他の部品および／またはステップから独立して別個に活用してよい。たとえば、方法は、他企業システムおよび方法と組み合わせて使用してもよく、また本明細書に記載のような検査および監視機能のみでの実施には限定されない。むしろ、例証的な実施形態は、多くの他企業出願と連携して実装および活用できる。
【０１０７】
本発明の様々な実施形態の特定の特徴はある図面には図示されるが他には図示されないことがあるが、これは便宜上の理由にすぎない。本発明の原理に従って、図面の任意の特徴は任意の他の図面の任意の特徴と組み合わせて参照および／または特許請求してよい。
【０１０８】
本書面明細書は、最良の形態を含めて本発明を開示するために、また当業者が任意の装置またはシステムを作製および使用すること、ならびに任意の組み込んだ方法を行うことを含めて本発明を実践できるようにするために例を使用する。本発明の特許可能な範囲は請求項によって定められ、当業者に想起される他の例を含んでよい。そのような他の例は、それらが請求項の文言と異ならない構造要素を有する場合、またはそれらが請求項の文言と僅かな差異しかない同等の構造要素を含む場合、請求項の範囲内にあるものと意図される。
【符号の説明】
【０１０９】
１００  環境
１００Ａ  環境
１００Ｂ  環境
１１１  現場検査員
１１２  現場検査員
１１３  現場検査員
１１４  現場検査員
１２１  測定装置
１２２  測定装置
１２３  測定装置
１２４  測定装置
１３１  紙記録
１３２  モバイルコンピューティング装置
１４０  物理的資産
１５１  物理的資産列
１５２  物理的資産列
１５３  物理的資産列
１５４  物理的資産列
１６１  計量感知装置
１６２  ハウジング
１６３  計量感知装置
１６４  計量感知装置
１６５  計量感知装置
１７０  計量インタフェース装置
１７２  インタフェースリンク
１７３  インタフェースリンク
１７３  インタフェースリンク
１７４  インタフェースリンク
１７５  インタフェースリンク
１８０  監視サーバ
１８１  記録コンピューティング装置
２１２  ＵＳＢモジュール
２１３  ＲＳ２３２モジュール
２１４  アナログモジュール
２１５  Ｉ２Ｃモジュール
２１６  ＳＰＩモジュール
２１７  一般入出力モジュール
２２０  プロセッサ
２２５  メモリデバイス
２３０  ＢＬＥモジュール
２４０  無線モジュール
２５０  ＬＥＤモジュール
２６０  加速度計
３００  フォブ装置
３００Ａ  ハイブリッド装置
３０５  ハウジング
３０５Ａ  ハウジング
３２０  ディスプレイ
３２５  資産データ
３３０  制御インタフェース
３３５  ＬＥＤディスプレイ
３５０  計量感知装置
４００  コンピューティング装置
４０２  バス
４０４  プロセッサ
４０６  主メモリ
４０８  ＲＯＭ
４１０  ストレージデバイス
４１２  入力デバイス
４１４  出力デバイス
４１６  通信インタフェース
５００  システム
５１０  ユーザ
５３０  物理的資産
５４０  計量感知装置
６００  システム
６１０  現場検査員
６１１  ユーザ
６１２  ユーザ
６１３  ユーザ
６２１  コンピューティング装置
６２２  コンピューティング装置
６２３  コンピューティング装置
６３０  物理的資産
６４０  計量感知装置
６７４  資産データセット
６７５  資産モデル
６７８  レポート
６９０  クラウド資源
９０２  走査部品
９０３  伝送部品
９０４  構築部品
９０５  通信部品
９０６  受信部品
９０７  処理部品
９０８  再較正部品
９０９  報告部品
９１０  データモデリング区分
９１２  アルゴリズム区分
９１４  ヒューリスティクス区分
９１６  通信プロトコルおよび管理区分
９１８  アプリケーション区分
９２０  データベース
【図１Ａ】
2016535885.tif 000003
【図１Ｂ】
2016535885.tif 000004
【図１Ｃ】
2016535885.tif 000005
【図２】
2016535885.tif 000006
【図３Ａ】
2016535885.tif 000007
【図３Ｂ】
2016535885.tif 000008
【図４】
2016535885.tif 000009
【図５】
2016535885.tif 000010
【図６】
2016535885.tif 000011
【図７】
2016535885.tif 000012
【図８】
2016535885.tif 000013
【図９】
2016535885.tif 000014
【国際調査報告】
2016535885.tif 000015
2016535885.tif 000016